(57)【特許請求の範囲】
【請求項１】
略平面矩形状を呈し、その全体が地面に対して所定の角度をなすように設けられる傾斜屋根部と、前記傾斜屋根部の低位側の端辺に設けられ、前記傾斜屋根部を地面から所定の高さに片持ち支持する支柱と、を有する２つのフレームと、
植栽ケースと、
前記植栽ケースが載置される棚板とを含み、
前記各フレームは、それぞれの前記傾斜屋根部の高位側の前記各端辺が平行に対向するように設置され、
前記棚板は、前記植栽ケースを前記各フレームの高位側の前記各端辺の間に前記各端辺の高さ近傍に位置させるように設けられることを特徴とする緑化装置。
【請求項２】
請求項１に記載の緑化装置であって、
前記フレームとして、屋根板材を取り外したカーポート又はサイクルポートを用いることを特徴とする緑化装置。
【請求項３】
請求項１に記載の緑化装置であって、
前記棚板は矩形状を呈し、
前記棚板を地面から所定の高さに支持する支柱を含み、
前記棚板は、その長辺が前記傾斜屋根部の高位側の前記各端辺と平行になるように設けられることを特徴とする緑化装置。
【発明の詳細な説明】
【技術分野】
【０００１】
本発明は、ビルの屋上等に設置される緑化装置に関し、とくに設置環境を選ばず様々な場所に容易に設置することが可能な緑化装置に関する。
【背景技術】
【０００２】
近年、地球温暖化問題への対応、都心部におけるヒートアイランド化の抑制、大気浄化などの環境対策として、植物による緑化が有効な手段の一つと考えられている。緑化技術の1つとして、例えば特許文献１には、立設された複数の支柱と、植物を伸延させるために支柱間に架設された複数の屋根部材とからなるフレームと、フレーム上に設置され、上部が切り欠かれた管形状を有する植物を植え込むための植栽ケースと、その内部に収納され、植物の根部を保持するゼオライト成形体からなる培地と、この培地に液肥等の液体を循環させるための導管及びポンプからなる循環システムとから構成される緑化装置が開示されている。
【特許文献１】特開２００６−２０５４２号公報
【発明の開示】
【発明が解決しようとする課題】
【０００３】
ところで、上記緑化装置を例えばビルの屋上等に設置する場合には、空調設備や水道設備等の既設の設備が存在し、設置することが困難な場合があった。また設置することができた場合でも、既設の設備を避けて設置する必要があり、設置場所が制限されてしまうことがあった。
【０００４】
本発明は、設置環境を選ばず様々な場所に容易に設置することが可能な緑化装置を提供することを目的とする。
【課題を解決するための手段】
【０００５】
上記の目的を達成するための本発明の第１の発明は、緑化装置であって、略平面矩形状を呈し、その全体が地面に対して所定の角度をなすように設けられる傾斜屋根部と、前記傾斜屋根部の低位側の端辺に設けられ、前記傾斜屋根部を地面から所定の高さに片持ち支持する支柱と、を有する２つのフレームと、植栽ケースと、前記植栽ケースが載置される棚板とを含み、前記各フレームは、それぞれの前記傾斜屋根部の高位側の前記各端辺が平行に対向するように設置され、前記棚板は、前記植栽ケースを前記各フレームの高位側の前記各端辺の間に前記各端辺の高さ近傍に位置させるように設けられることを特徴とする。
【０００６】
本発明の緑化装置によれば、緑化装置を設置する場所に既設の諸設備等が存在する場合でも、支柱が設けられるのは傾斜屋根部の低位側の端辺に限られるので、設置環境を選ばず様々な場所に容易に設置することができる。
【０００７】
また、棚板に載置される植栽ケースが、傾斜屋根部の高位側の端辺と沿うような配置となることから、植栽ケースから伸延する植物を、フレームへ自然に誘導することができる。また、棚板に載置される植栽ケースが、植栽ケースを各フレームの高位側の各端辺の間に設けられることから、植物を、植栽ケースからその両側に設置されるフレームに伸延させ、緑化面積を増加させることができる。
【０００８】
また、屋根部は傾斜しているので、低位方向から屋根全体を見渡すことができ、植物の生育状況を視認しやすい。
【０００９】
本発明のうち第２の発明は、上記緑化装置であって、前記フレームとして、前記傾斜屋根部の屋根板を取り外したカーポート又はサイクルポートを用いることを特徴とする。  
本発明の緑化装置によれば、植物を伸延させるためのフレームとして市販の既製品であるカーポート又はサイクルポートのフレームを利用することにより、施工時間を短縮できるとともに施工コストも低減できる。
【００１０】
本発明のうち第３の発明は、上記緑化装置であって、前記棚板は矩形状を呈し、前記棚板を地面から所定の高さに支持する支柱を含み、前記棚板は、その長辺が前記傾斜屋根部の高位側の前記各端辺と平行になるように設けられることを特徴とする。
【発明の効果】
【００１１】
本発明によれば、設置環境を選ばず様々な場所に容易に設置することが可能な緑化装置を提供できる。
【発明を実施するための最良の形態】
【００１２】
以下、本実施形態の好ましい一実施形態について説明する。本実施形態に係る緑化装置は、例えば、休憩場所や憩いの場として、ビルの屋上、駐車場や公園等の平地、大空間を有する屋内施設等に設置されるものである。
【００１３】
図１に緑化装置１０の外観斜視図を示している。同図に示すように、緑化装置１０は、２つの繁茂フレーム３０ａ，３０ｂと、植栽ケース設置棚２０と、植栽ケース１１０とを含んで構成されている。
【００１４】
緑化装置１０は、植栽ケース１１０に植え込まれた植物が、植栽ケース１１０から２つの繁茂フレーム３０ａ，３０ｂに沿って伸延し、葉を繁茂させることできるようになっている。繁茂フレーム３０ａ，３０ｂは、格子状のフレームで構成されており、全体が矩形状を呈し全体が地面に対して一定の角度をなすように傾斜させて設けられる傾斜屋根部３１０、及び傾斜屋根部３１０の低位側の端辺を地面から所定の高さ位置に片持ち支持する２本の支柱３２０を有している。このような構成により、ビルの屋上等のように既設の諸設備等が存在する場所に緑化装置１０を設置する場合でも、支柱３２０が設けられるのは、傾斜屋根部３１０の低位側の端辺に限られるので、設置環境を選ばず様々な場所に容易に設置できる。また、傾斜屋根部３１０の傾斜の低位方向から屋根全体を見渡すことができ、植物の生育状況が視認しやすい。これら２つの繁茂フレーム３０ａ，３０ｂは、それら傾斜屋根部３１０の高位側における各端辺３１２が、所定の間隔を隔て、かつ、略水平方向に平行に対向するように配置されている。
【００１５】
繁茂フレーム３０ａ，３０ｂには、例えば市販のカーポートやサイクルポートを利用することができる。このような市販品を用いることで、繁茂フレームを構築する際の施工時間を短縮することができる。また緑化装置の１０の製造コストや施工コストを低減することができる。なお、市販のカーポートやサイクルポートを利用する場合には、フレームにかかる荷重を減らし、また繁茂フレーム３０の下方から容易に植物を手入れすることができるようにするため、購入時に取り付けられている屋根板は取り外して利用することが好ましい。
【００１６】
繁茂フレーム３０ａ，３０ｂの各傾斜屋根部３１０には、植物を屋根全体に繁茂させるべく、傾斜屋根部３１０の全面を覆うように金網やネット等の部材（以下、繁茂ネット３２と称する）が設けられている。  
なお、植物が繁茂フレーム３０又は繁茂ネット３２に絡んでいかない場合には、例えばワイヤや縄等を使って植物の茎部等を繁茂フレーム３０又は繁茂ネット３２に適宜留めていくようにしてもよい。
【００１７】
植栽ケース設置棚２０は、傾斜屋根部３１０の端辺３１２の長さと同程度の長さの長辺を有する矩形状の棚板２２、及び棚板２２を端辺３１２と同程度の高さに支持する２本の支柱２４を有している。植栽ケース設置棚２０は、繁茂フレーム３０ａ，３０ｂの、対向する高位側の端辺３１２の間に、棚板２２の長辺が傾斜屋根部３１０の高位側の端辺と平行になるように設けられる。これにより棚板２２に載置される植栽ケース１１０は端辺３１２に沿って配置され、植栽ケース１１０から植物を繁茂フレーム３０ａ，３０ｂに自然に誘導することができる。また植物は植栽ケース１１０から植栽ケース１１０の両側に設置される繁茂フレーム３０ａ，３０ｂに繁茂させることができるため、緑化面積が拡がることになる。
【００１８】
棚板２２には、植栽ケース１１０が棚板２２から脱落しないように、植栽ケース１１０を固定するバンドやボルト等を設けてもよい。
【００１９】
支柱２４及び上述した支柱３２０の底部には、板材２５が設けられている。ビルの屋上等に緑化装置１０を設置する際は、この板材２５とビル屋上のコンクリート面とをアンカーボルトで固定したり、接着材で接着したりすることで、強風に対する浮き上がりを防ぐことができる。
【００２０】
図２に植栽ケース１１０の断面構造及びその周辺の構成を示している。なお、同図において、（ａ）は縦断面図であり、（ｂ）はＡ−Ａ断面図である。  
同図に示しているように、植栽ケース１１０の内部には培地７０が収納されている。培地７０には、後述する定植ポット１４２と共に植物６０が定植されている。また植栽ケース１１０には、培地７０に液肥（水を含む）を導入するための給水管１２０及び潅水チューブ１２２、及び植栽ケース１１０内から液肥を排水するための排水管１３０が接続されている。
【００２１】
植栽ケース１１０は、例えば直方体の容器であり、その長手方向は繁茂フレーム３０の端辺３１２と同程度の長さを有している。植栽ケース１１０の底面には、水抜き用のドレン１１２が設けられている。このため、植栽ケース１１０を裏返すことなく植栽ケース１１０の底部に溜まった液肥を排水することができる。なお、前述した棚板２２のドレン１１２の位置と対応する部分には、ドレン１１２から液肥を棚板２２の下方に排水する開口部が設けられている。
【００２２】
植栽ケース１１０の上面には、脱着可能な蓋１１４が設けられている。蓋１１４は、植物６０の生育時に取り付けられるが、例えば植物６０の定植時や植栽ケース１１０の清掃時等には適宜取り外される。
【００２３】
植栽ケース１１０の側面には、植物６０をケース外部へ引き出すための開口部１１６が形成されている（同図（ｂ）参照）。なお、開口部１１６は可能な限り小さいことが好ましい。開口部１１６を小さくすることで、日光の植栽ケース１１０内へ入射経路や、雨水や種等の異物の進入経路が制限され、植栽ケース１１０内におけるアオコの発生、液肥の希釈、雑草若しくは病原菌の繁殖を防ぐことができる。
【００２４】
培地７０には、あらかじめ肥料成分を吸着させたゼオライトを用いている。肥料成分を吸着させたゼオライトは、例えば、粒径が１〜３ｍｍ程度のクロノプチロル系のもの（例えばゼオライト工業社製のサン・ゼオライト）を用意し、植栽ケース１１０に充填する前又は充填した後に、液肥に充分浸漬させておくことにより簡便に製造することができる。このときの液肥の成分及び濃度は、植物６０を生育する際に循環するものと同程度に設定している。例えば、水１Ｌに対して窒素１８．６me/l、リン酸５．１me/l、カリ７．６me/l、カルシウム８．２me/l、マグネシウム３．７me/lとする。
【００２５】
このように、培地７０としてあらかじめ肥料成分を吸着させたゼオライトを用いた場合、新たに補給される液肥がゼオライトに接触してもゼオライトの吸着力は低下しており、液肥中の肥料成分が吸着されてしまうことは殆どない。このため、液肥中の肥料成分の減少を防ぐことができる。
【００２６】
またゼオライトに補給される液肥中の肥料成分の濃度が通常の濃度より低くなる場合には、あらかじめゼオライトに吸着させた肥料成分が逆に液肥内に浸出し、植物６０への肥料成分の供給が減少するのを防ぐことができる。
【００２７】
給水管１２０は、後述する液肥タンクから植栽ケース１１０内まで延長されている。植栽ケース１１０内において給水管１２０の側面には複数の孔が形成されている。給水管１２０の一端は、培地７０の表面に沿って載置される潅水チューブ１２２（例えば、サンレックス工業社製のエバーフローを用いることができる。）に接続している。これにより液肥は給水管１２０及び潅水チューブ１２２を介して植栽ケース１１０内の培地７０の表面に散水され、培地７０内を浸透して植物６０に供給される。
【００２８】
排水管１３０は、植栽ケース１１０の外側から内側底部に挿設されている。排水管１３０の植栽ケース１１０内における部分には、液肥を管内に取り入れるための複数の小孔１３２が形成されている。これにより、植栽ケース１１０内に補給され、植栽ケース１１０の底部に溜まる液肥を、これら小孔１３２から取り込んで、速やかに植栽ケース１１０の外部へ排水することができるようになっている。このため、培地７０の通気性が向上することになり、多湿環境を嫌う植物の病気や根腐れを防止することができる。
【００２９】
なお、各小孔１３２の周囲には、例えば不織布等（図示しない）が巻かれており、粒子状の培地７０等が小孔１３２から管内へと進入したり、小孔１３２を閉塞したりするのを防いでいる。
【００３０】
緑化装置１０で栽培できる植物６０としては、例えば、手入れが簡単で年を通じて屋外で水耕栽培を実施可能なアイビーやテイカカズラ等のつる性の常緑植物や、サツマイモ、藤等の落葉植物等があるが、植物６０はとくにこれらに限定される訳ではない。
【００３１】
また植物６０として、例えば育苗に適した環境下（例えば、育苗専用の施設等）で育苗させたものを用いてもよい。また水耕性植物であれば、育苗時から水耕により栽培したものを用いてもよい。すなわち植物６０は水耕育苗により水耕栽培に適した根を形成するので、培地７０に定植した後、水耕環境に順応し易くなる。
【００３２】
定植ポット１４２としては、育苗時には鉢として用いることができ、培地７０への定植時には苗を鉢から取り出すことなく移植を容易に行えるようなものが好ましい。そのようなものとして、例えば特殊加工を施した紙製のもの、圧縮成形されたビートモス等の透水性の素材からなるもの（例えば、サカタのタネ社製ジフィー（登録商標）ポット）等がある。定植ポット１４２としてこのようなものを用いることで、定植時に根を傷めてしまうことがなく、植物を培地に徐々に順応させることができる。
【００３３】
強風や自重等により植物６０が植栽ケース１１０から脱落するのを防止するため、植栽ケース１１０内にその長手方向に伸張し植物６０の茎部を固定する縄を結束するための植物固定用ワイヤ１４４を設けてもよい。
【００３４】
図３に液肥の循環設備の一例として示す液肥循環ユニット４０の系統図を示している。同図に示す液肥循環ユニット４０は、液肥タンク４２と、ポンプ４８と、給水管１２０と、排水管１３０とを有している。
【００３５】
液肥タンク４２には、排水管１３０を通じて植栽ケース１１０から排水され、給水管１２０を通じて植栽ケース１１０に循環供給される液肥が一時的に貯留される。液肥タンク４２の内部には、液肥の水位の減少に応じて適量の水又は液肥をタンク内に自動補給する水補給装置４４が設けられている。なお、液肥タンク４２に液肥の濃度を測定するための濃度センサ１６０（例えば電気伝導度計）を設けてもよい。
【００３６】
また液肥タンク４２には、液肥タンク４２内の温度を測定するための温度センサ１７０、液肥の温度を調節するヒータ１４０及びクーラ１５０、温度センサ１７０の測定値に応じてヒータ１４０及びクーラ１５０の運転を制御する制御装置１８０を設けてもよい。これにより液肥が凍結してしまったり、液肥が植物６０の生育に悪影響を与える程の高温になってしまうのを防ぐことができる。
【００３７】
ポンプ４８は、給水管１２０の流路に設置され、液肥タンク４２に貯留される液肥を植栽ケース１１０へと移送する。ポンプ４８への電力供給は、太陽光発電等の自然エネルギーを利用して行うことが好ましい。すなわち、植物は日照量が増大するとともに水分の吸収量も増大させるため、これに対応するために植栽ケース１１０内への液肥の補給量も増大させるべく、ポンプ４８の出力も増大させる必要があるが、日照量の増大とともに発電量が上昇する太陽光発電は、とくにその電力供給源として好適である。
【００３８】
給水管１２０には、液肥タンク４２から植栽ケース１１０への液肥の供給を制御する電磁弁５０や、電磁弁５０による液肥の流量や供給時間等を制御するタイマー式コントローラ５２等を適所に設けてもよい。
【００３９】
排水管１３０には、排水管１３０内部に混入した異物を除去するためのストレーナ１３４を設置してもよい。また、このストレーナ１３４の後段に排水管１３０内の液肥の移送を許可又は禁止するためのボールバルブ１３６を設けてもよい。
【００４０】
図４に、植栽ケース設置棚２０に載置される植栽ケースの他の実施形態を示す。同図において、（ａ）は植栽ケースの縦断面図であり、（ｂ）は植栽ケースのＢ−Ｂ断面図である。なお、同図において、前述した実施形態（図２）と同様の部位については同じ符号を付してある。
【００４１】
同図に示す例では、植栽ケース１１０は、並設される複数の独立した小ケース２１０と、隣接する小ケース２１０の内部空間を連結し各小ケース２１０内に貯留される水を各小ケース２１０間に流通させる連結管２３０とを有してなる。このようにすることにより、必要に応じて、小ケース２１０の連結数を増減することにより、植物６０を定植する範囲を容易に設定できるようになっている。
【００４２】
植栽ケース１１０には、給水管１２０、上部供給用ホース２４２、滴下装置２４４、及び下部供給用ホース２５２からなる液肥を液肥タンクから導入する流路と、排水管１３０、水抜き管２１２及びドレン１１２からなる液肥を液肥タンクへ排水する流路とが設けられている。
【００４３】
各小ケース２１０は、いずれも直方体形状（同図に示す例では２苗分が定植可能な大きさ）である。その上面はいずれも上方が開放されている。
【００４４】
各小ケース２１０の底面には、植栽ケース１１０と同様に水抜き用のドレン１１２が設けられ、ケース毎にケースを裏返すことなく水抜きができるようになっている。各小ケース２１０のドレン１１２から水抜きされた液肥は、水抜き管２１２を介して排水管１３０へと移送される。
【００４５】
各小ケース２１０の延長方向の側面には、連結管２３０が接続される連結孔２１４が形成され、連結管２３０を通じて、隣り合う小ケース２１０間に液肥が流通するようになっている。
【００４６】
各小ケース２１０の内部にはメッシュバスケット２２０が収納されている。メッシュバスケット２２０は、メッシュ加工が施された金属又はプラスチック製の容器であって、小ケース２１０内部の容積よりもやや小さい直方体の形状を有する。
【００４７】
メッシュバスケット２２０の高さは、小ケース２１０内側の深さよりも短く設定されている。図４（ｂ）に示すように、メッシュバスケット２２０の長手側側面の上方縁部は、外周方向に折り曲げて形成されており、この折曲形成された上方縁部を小ケース２１０の側面上方縁部に当接させることにより、メッシュバスケット２２０は小ケース２１０の内部空間に底上げされた状態で設置できるようになっている。
【００４８】
メッシュバスケット２２０の内周面には、培地７０はメッシュの目から脱落させないで、液肥のみを通過させるための不織布２２４が設けられている。
【００４９】
培地７０は、これら各メッシュバスケット２２０内に収納されている。培地７０としては、前述した実施形態（図２）と同様に、液肥に充分に浸漬したゼオライトを用いている。培地７０の表面には、培地７０の乾燥や温度変化を緩和するとともに病気による被害を回避し、培地７０の舞い上がり及び雑草の発生を防止するために、植物６０の根元の地表面を覆うように藁や水苔などのマルチング材２２２が敷かれている。
【００５０】
なお、図４に示す実施形態では、培地７０に植物６０を直接定植する構成としているが、前述した実施形態（図２）と同様に、定植ポット１４２とともに定植するようにしてもよい。
【００５１】
複数の小ケース２１０のうち、排水管１３０が接続される小ケース２１０（同図では一番左に載置される小ケース２１０）には、内部に水位調整堰２６０が設けられている。水位調整堰２６０は、小ケース２１０内の内周面底部に密着して垂直に固定可能な板状の部材からなる。
【００５２】
水位調整堰２６０は、各小ケース２１０間に流通する液肥を、排水管１３０から排水させる前に堰き止め、各小ケース２１０の底部に、液肥の水位が水位調整堰２６０の高さになるまで貯留させる。すなわち、各小ケース２１０の底部には、一定水位の液肥が貯留されるようになっている。
【００５３】
水位調整堰２６０は容易に脱着できるようになっており、高さの異なる水位調整堰２６０に交換することで、液肥の水位を調節できるようになっている。
【００５４】
例えば、その高さがメッシュバスケット２２０の底面に達しない程度の水位調整堰２６０を設置する場合には、培地７０内を下方に移動し、メッシュバスケット２２０の底面に到達した液肥は、小ケース２１０内の底部へ落下することになるので、培地７０が多湿になるのを防いで植物６０の病気や根腐れの発生を防止できる。一方、植物６０が多湿を好む性質である場合は、メッシュバスケット２２０の底面よりも高い水位調整堰２６０を設置し、液肥が植物６０に充分に供給されるようにすることができる。
【００５５】
なお、水位調整堰２６０の設置位置は、必ずしも上述した位置に限られない。例えば各小ケース２１０の液肥が流入又流出する入口や出口（連結孔２１４）付近に複数設けてもよい。このようにすることで、例えば、小ケース２１０の一つを交換したい場合に、各小ケース２１０に貯留される液肥を全て抜く必要はなく、交換する小ケース２１０に貯留される液肥のみを抜くことができる。
【００５６】
給水管１２０は、植栽ケース１１０の上部から液肥を供給する流路（以下、上部供給ルートと称する）と、植栽ケース１１０の底部に液肥を供給する流路（以下、底部供給ルートと称する。）に分岐している。
【００５７】
上部供給ルートによって供給される液肥は、給水管１２０から上部供給用ホース２４２を介して各小ケース２１０付近まで移送され、その後、滴下装置２４４によって上部供給用ホース２４２から採取され、各小ケース２１０内の培地７０に滴下される。なお、滴下装置２４４としては、例えば、市販の圧力補正付のウッドペッカータイプのドリッパーを用いることができる。各培地７０に滴下された液肥は、その一部が植物６０に吸収されるほかは各培地７０内の下方に移動してメッシュバスケット２２０底部に移動し、各小ケース２１０内の底部に収容される。
【００５８】
一方、底部供給ルートによって供給される液肥は、給水管１２０から下部供給用ホース２５２を介して、所定の小ケース２１０（図４では一番右の小ケース２１０）内の底部に収容され、その後、連結管２３０を通じてその他の各小ケース２１０へと流れる。
【００５９】
なお、上部供給ルート及び底部供給ルートの適所には、例えば内部を流通する液肥の移送を許可又は禁止するボールバルブ１３６を設けてもよい。
【００６０】
以上、本発明の実施形態につき詳細に説明したが、以上の説明は本発明の理解を容易にするためのものであり、本発明を限定するものではない。本発明はその趣旨を逸脱することなく、変更、改良され得ると共に本発明にはその等価物が含まれることは勿論である。
【００６１】
例えば、以上の実施形態では培地７０としてゼオライト用いているが、バーミキュライト、パーライト又はイソライト等を用いてもよい。
【００６２】
また、以上の実施形態における植栽ケース１１０、小ケース２１０、植栽ケースの蓋１１４、給水管１２０、排水管１３０、液肥タンク４２、連結管２３０、及び滴下装置２４４の材質としては、例えば、硬質塩化ビニルや金属等を用いることができる。また潅水チューブ１２２、上部供給用ホース２４２、及び下部供給用ホース２５２としては、例えば軟質塩化ビニルチューブを用いることができる。
【００６３】
なお、紫外線等による液肥の劣化を防ぐため、いずれの構成部材も遮光性を有するものが好ましい。このようにすることで、日光が植栽ケース１１０内へ入射しないので、アオコの発生を防止することができる。
【図面の簡単な説明】
【００６４】
【図１】緑化装置１０の外観を示す斜視図である。
【図２】植栽ケース１１０の断面構造及びその周辺の構成を示す図である。
【図３】液肥の循環設備の一例として示す液肥循環ユニット４０の系統図である。
【図４】植栽ケース設置棚２０に載置される植栽ケースの他の実施形態である。
【符号の説明】
【００６５】
１０  緑化装置                      ２０  植栽ケース設置棚
２２  棚板                          ２４  支柱
２５  板材                          ３０、３０ａ、３０ｂ  繁茂フレーム
３２  繁茂ネット                    ４０  液肥循環ユニット
４２  液肥タンク                    ４４  水補給装置
４８  ポンプ                        ５０  電磁弁
５２  タイマー式コントローラ        ６０  植物
７０  培地                          １１０  植栽ケース
１１２  ドレン                      １１４  蓋
１１６  開口部                      １２０  給水管
１２２  潅水チューブ                １３０  排水管
１３２  小孔                        １３４  ストレーナ
１３６  ボールバルブ                １４０  ヒータ
１４２  定植ポット                  １４４  植物固定用ワイヤ
１５０  クーラ                      １６０  濃度センサ
１７０  温度センサ                  ２１０  小ケース
２１２  水抜き管                    ２１４  連結孔
２２０  メッシュバスケット          ２２２  マルチング材
２２４  不織布                      ２３０  連結管
２４２  上部供給用ホース            ２４４  滴下装置
２５２  下部供給用ホース            ２６０  水位調整堰
３１０  傾斜屋根部                  ３１２  端辺
３２０  支柱
【要約】
【課題】、設置環境を選ばず様々な場所に容易に設置することが可能な緑化装置を提供する。
【解決手段】緑化装置１０は、略平面矩形状を呈し、その全体が地面に対して所定の角度をなすように設けられる傾斜屋根部３１０と、傾斜屋根部３１０の低位側の端辺に設けられ、傾斜屋根部３１０を地面から所定の高さに片持ち支持する支柱３２０と、を有する２つの繁茂フレーム３０ａ,３０ｂと、植栽ケース１１０と、植栽ケース１１０が載置される棚板２２とを含み、各繁茂フレーム３０ａ,３０ｂは、それぞれの傾斜屋根部３１０の高位側の各端辺３１２が平行に対向するように設置され、棚板２２は、植栽ケース１１０を各繁茂フレーム３０ａ,３０ｂの各端辺３１２の間に各端辺３１２の高さ近傍に位置させるように設けられる。
【選択図】図１【図１】
0004226062.tif 000002
【図２】
0004226062.tif 000003
【図３】
0004226062.tif 000004
【図４】
0004226062.tif 000005